(57)【要約】【課題】効率的な精査処理を実現するための紙幣処理装置を提供する。【解決手段】同一種別の紙幣を集積する複数の紙幣集積部と、前記複数の紙幣集積部からの紙幣の分離を制御する制御部と、を備え、前記制御部は、前記複数の紙幣集積部のうちで第１の紙幣集積部の集積量が少ない場合、前記第１の紙幣集積部からの紙幣の分離を優先する、紙幣処理装置。【選択図】図２
2013025438.tif 000002
【特許請求の範囲】
【請求項１】
同一種別の紙幣を集積する複数の紙幣集積部と、
前記複数の紙幣集積部からの紙幣の分離を制御する制御部と、
を備え、
前記制御部は、前記複数の紙幣集積部のうちで第１の紙幣集積部の集積量が少ない場合、前記第１の紙幣集積部からの紙幣の分離を優先する、紙幣処理装置。
【請求項２】
前記制御部は、前記複数の紙幣集積部のうちで第２の紙幣集積部の集積量が多い場合、前記第２の紙幣集積部への紙幣の集積を優先する、請求項１に記載の紙幣処理装置。
【請求項３】
前記制御部は、前記第１の紙幣集積部から前記第２の紙幣集積部へ紙幣を移動させて前記第１の紙幣集積部を空の状態にした後に、前記第２の紙幣集積部から前記第１の紙幣集積部に紙幣を移動させる過程で紙幣の枚数を計数することにより、移動後の前記第１の紙幣集積部内の紙幣枚数を確定する、請求項２に記載の紙幣処理装置。
【請求項４】
前記制御部は、
前記複数の紙幣集積部のうちの全ての紙幣集積部の紙幣枚数が確定している場合には、集積量が少ない前記第１の紙幣集積部からの紙幣の分離を優先し、
前記複数の紙幣集積部のうちの１の紙幣集積部の紙幣枚数が確定していない場合、前記１の紙幣集積部からの紙幣の分離を優先する、請求項１〜３のいずれか一項に記載の紙幣処理装置。
【請求項５】
前記制御部は、前記複数の紙幣集積部の紙幣枚数が未確定である場合、集積量が少ない前記第１の紙幣集積部から前記第２の紙幣集積部へ紙幣を移動させた後に、紙幣枚数が未確定である前記第２の紙幣集積部からの紙幣の分離を優先する、請求項２に記載の紙幣処理装置。
【請求項６】
前記制御部は、前記複数の紙幣集積部のうちで第２の紙幣集積部の集積量が上限に達している場合、前記第１の紙幣集積部への紙幣の集積を優先する、請求項１に記載の紙幣処理装置。
【請求項７】
前記制御部は、集積量が少ない前記第１の紙幣集積部が紙幣の分離により空の状態になった場合、前記第２の紙幣集積部からの紙幣の分離を優先し、前記第１の紙幣集積部への紙幣の集積を優先する、請求項２に記載の紙幣処理装置。
【発明の詳細な説明】
【技術分野】
【０００１】
本発明は、効率的な精査処理を実現するための紙幣処理装置に関する。
【背景技術】
【０００２】
近日、銀行、駅構内、およびコンビニエンスストアなど、多様な場所に自動取引装置（ＡＴＭ：ａｕｔｏｍａｔｅｄ−ｔｅｌｌｅｒ  ｍａｃｈｉｎｅ）が設置されている。顧客は、この自動取引装置に表示される表示画面において各種操作を行うことにより、入金、出金および残高照会などの取引を行うことができる。
【０００３】
このような自動取引装置は、金種ごとに紙幣を集積するための紙幣カセットを有する。例えば、自動取引装置は、入金取引においては顧客によって入金された紙幣を対応する金種の紙幣カセットに集積し、出金取引においては紙幣カセットから紙幣を分離して接客口に搬送する。
【０００４】
ところで、紙幣カセットに集積されている紙幣枚数／金額を自動的に精査する方法が特許文献１に開示されている。この方法は、具体的には、同一金種の紙幣カセットの第１の紙幣カセットから第２の紙幣カセットに紙幣を移動させることにより第１の紙幣カセットを空の状態にするステップと、第２の紙幣カセットから第１の紙幣カセットに紙幣を移動させ、移動の過程において紙幣枚数を計数するステップにより、紙幣カセット内の紙幣枚数／金額を確定する。なお、特許文献１に記載の方法では、出金取引において紙幣の分離を優先する紙幣カセットが事前に固定的に設定される。
【先行技術文献】
【特許文献】
【０００５】
【特許文献１】特開２０１０−１０８１６０号公報
【発明の概要】
【発明が解決しようとする課題】
【０００６】
しかし、上記の精査処理を取引時間内に行う場合、精査処理が終わるまでの時間にわたって顧客を待たせてしまうという問題がある。この点に関し、集積量の少ない方の紙幣カセットの紙幣を先に他方に移動させることにより、紙幣の移動量を少なくすると共に、精査処理の時間を短縮することも可能であるが、絶対的な紙幣枚数が多い場合には、精査処理のために相応の時間がかかってしまう。また、精査処理を取引時間外に行えば顧客を待たせてしまうという問題は発生しないが、精査処理に長時間を要すると、オペレータの作業効率も悪化することが懸念される。
【０００７】
そこで、本発明は、上記問題に鑑みてなされたものであり、本発明の目的とするところは、効率的な精査処理を実現することが可能な、新規かつ改良された紙幣処理装置を提供することにある。
【課題を解決するための手段】
【０００８】
上記課題を解決するために、本発明のある観点によれば、同一種別の紙幣を集積する複数の紙幣集積部と、前記複数の紙幣集積部からの紙幣の分離を制御する制御部と、を備え、前記制御部は、前記複数の紙幣集積部のうちで第１の紙幣集積部の集積量が少ない場合、前記第１の紙幣集積部からの紙幣の分離を優先する、紙幣処理装置が提供される。
【０００９】
前記制御部は、前記複数の紙幣集積部のうちで第２の紙幣集積部の集積量が多い場合、前記第２の紙幣集積部への紙幣の集積を優先してもよい。
【００１０】
前記制御部は、前記第１の紙幣集積部から前記第２の紙幣集積部へ紙幣を移動させて前記第１の紙幣集積部を空の状態にした後に、前記第２の紙幣集積部から前記第１の紙幣集積部に紙幣を移動させる過程で紙幣の枚数を計数することにより、移動後の前記第１の紙幣集積部内の紙幣枚数を確定してもよい。
【００１１】
前記制御部は、前記複数の紙幣集積部のうちの全ての紙幣集積部の紙幣枚数が確定している場合には、集積量が少ない前記第１の紙幣集積部からの紙幣の分離を優先し、前記複数の紙幣集積部のうちの１の紙幣集積部の紙幣枚数が確定していない場合、前記１の紙幣集積部からの紙幣の分離を優先してもよい。
【００１２】
前記制御部は、前記複数の紙幣集積部の紙幣枚数が未確定である場合、集積量が少ない前記第１の紙幣集積部から前記第２の紙幣集積部へ紙幣を移動させた後に、紙幣枚数が未確定である前記第２の紙幣集積部からの紙幣の分離を優先してもよい。
【００１３】
前記制御部は、前記複数の紙幣集積部のうちで第２の紙幣集積部の集積量が上限に達している場合、前記第１の紙幣集積部への紙幣の集積を優先してもよい。
【００１４】
前記制御部は、集積量が少ない前記第１の紙幣集積部が紙幣の分離により空の状態になった場合、前記第２の紙幣集積部からの紙幣の分離を優先し、前記第１の紙幣集積部への紙幣の集積を優先してもよい。
【発明の効果】
【００１５】
以上説明したように本発明によれば、効率的な精査処理を実現することが可能である。
【図面の簡単な説明】
【００１６】
【図１】本発明の実施形態である自動取引システムの構成を示した説明図である。
【図２】自動取引装置の内部構成を示した説明図である。
【図３】紙幣移動を伴う精査処理の具体例を示した説明図である。
【図４】紙幣移動を伴う精査処理の具体例を示した説明図である。
【図５】第１の実施形態による優先設定を示した説明図である。
【図６】第１の実施形態による自動取引装置の動作を整理したフローチャートである。
【図７】第２の実施形態による優先設定を示した説明図である。
【図８】第２の実施形態による自動取引装置の動作を整理したフローチャートである。
【図９】第３の実施形態による紙幣移動を示した説明図である。
【図１０】第３の実施形態による紙幣移動の第２の例を示した説明図である。
【図１１】第３の実施形態による自動取引装置の動作を整理したフローチャートである。
【図１２】第４の実施形態による優先設定を示した説明図である。
【発明を実施するための形態】
【００１７】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１８】
＜１．自動取引システムの概要＞
まず、図１を参照し、本発明の実施形態による自動取引システムの概要を説明する。
【００１９】
図１は、本発明の実施形態である自動取引システムの構成を示した説明図である。図１に示したように、自動取引システムは、複数の自動取引装置１０と、専用網１２と、金融機関ホスト２０と、を含む。
【００２０】
自動取引装置（紙幣処理装置）１０は、金融機関の顧客による操作に基づいて金銭の取引を実行する顧客操作型端末である。この自動取引装置１０は、金融機関の営業店、コンビニエンスストア、駅構内、ホテル、病院、アミューズメントパーク、飲食店、オフィスビルディングなどの多様な施設に設置される。
【００２１】
また、自動取引装置１０は、顧客操作表示部１４と、通帳挿入口１６と、カード挿入口１８と、を備える。顧客操作表示部１４は、顧客による操作の誘導画面を表示する表示部および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。なお、図１においては表示部および顧客操作部の機能が自動取引装置１０において一体的に構成される例を示しているが、表示部および顧客操作部の機能は分離して構成されてもよい。
【００２２】
通帳挿入口１６は顧客の通帳の挿入および排出を行い、カード挿入口１８は顧客のキャッシュカードの挿入および排出を行う。また、接客口１９は、顧客による紙幣の入金口、および顧客への紙幣の出金口としての機能を有する。
【００２３】
専用網１２は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト２０は、この専用網１２を介して自動取引装置１０と通信することができる。
【００２４】
金融機関ホスト２０は、専用網１２を介して自動取引装置１０と通信することにより、各種取引を制御する。例えば、金融機関ホスト２０は、自動取引装置１０を操作する顧客の認証を行ったり、自動取引装置１０において顧客により指示された入金や振込などの金銭取引（勘定の取引処理）を実行したりする。また、金融機関ホスト２０は、口座番号、暗証番号、氏名、住所、年齢、生年月日、電話番号、職業、家族構成、年収、預金残高などの顧客情報（口座の元帳）を管理する。
【００２５】
本発明の実施形態は、上述した自動取引システムに含まれる自動取引装置１０に関し、特に、自動取引装置１０における紙幣の精査処理に関する。以下、自動取引装置１０の構成および基本動作を説明した後に、本発明の各実施形態について詳細に説明する。
【００２６】
＜２．自動取引装置１０の構成および基本動作＞
図２は、自動取引装置１０の内部構成を示した説明図である。図２に示したように、自動取引装置１０は、紙幣処理機構１３および制御部１５を備える。さらに、紙幣処理機構１３は、接客口１９を含む接客部１、鑑別部２、一時保留部３、紙幣カセット４ａ〜４ｄ、リジェクトカセット５、および搬送路６ａ〜６ｍを備える。
【００２７】
接客部１は、入金取引時に顧客により入金された紙幣を分離したり、出金取引時に顧客に出金する紙幣を集積したりするための構成である。
【００２８】
鑑別部２は、顧客の入金した紙幣、または顧客に出金する紙幣の鑑別を行う。具体的には、鑑別部２は、搬送路６を通って搬送された紙幣の金種、真偽、正損および走行状態などを鑑別する。
【００２９】
一時保留部３は、入金取引時に接客部１で分離されて鑑別部２により正常と鑑別された紙幣を一時的に集積する。一時保留部３に集積された紙幣は、入金した紙幣の口座計上などが確定したなど、取引が成立した場合に鑑別部２を経て紙幣カセット４ａ〜４ｄなどに搬送される。また、一時保留部３は、紙幣カセット４ａ〜４ｄ間の紙幣移動の際にも用いられる。
【００３０】
紙幣カセット４ａ〜４ｄは、顧客の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。例えば、紙幣カセット４ａおよび４ｃが一万円札用の紙幣カセットであり、紙幣カセット４ｂおよび４ｄが千円札用の紙幣カセットであってもよい。なお、紙幣カセット４ａ〜４ｄは、紙幣処理機構１３に対して着脱可能な構造になっており、個別に交換することで紙幣カセット４ａ〜４ｄに紙幣を装填することも可能である。
【００３１】
リジェクトカセット５は、出金取引時または入金取引時に鑑別部２によって金種不明と鑑別された支払不可の紙幣を集積する。
【００３２】
搬送路６ａ〜６ｍは、紙幣を搬送するための構成である。各搬送路６ａ〜６ｍは、制御部１５による制御に従ってＤＣサーボモータまたはパルスモータなどが回転することにより、紙幣を目的の搬送先に搬送することが可能である。また、搬送路６ａ〜６ｅは入金経路を構成し、搬送路６ｂ〜６ｄおよび６ｆ〜６ｌは集積経路を構成し、搬送路６ｂ、６ｃ、６ｅ〜６ｇおよび６ｈ〜６ｋは出金経路を構成する。
【００３３】
制御部１５は、上記の搬送路６ａ〜６ｍを制御することにより、入金、集積、出金および紙幣移動などの基本動作を制御する。以下、各基本動作について説明する。
【００３４】
（基本動作）
入金取引においては、まず、接客部１から紙幣が１枚ずつ分離され、分離された紙幣は搬送路６ａおよび６ｂを経て鑑別部２に搬送される。そして、鑑別部２による鑑別結果が正常であった紙幣は搬送路６ｃおよび６ｄを経て一時保留部３に集積される。一方、鑑別部２による鑑別結果が正常であった紙幣は搬送路６ｃおよび６ｅを経て接客部１に集積される。その後、顧客により入金金額の確認操作が行われると、集積処理に移行する。
【００３５】
集積処理においては、まず、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て金種に対応する紙幣カセット４ａ〜４ｄに集積される。一方、一万円札および千円札の汚損券、折れ紙幣、二千円札、五千円札、スキュー紙幣などの走行異常紙幣のように、鑑別部２による鑑別結果が異常であった紙幣は、搬送路６ｇおよび６ｌを経てリジェクトカセット５に集積される。
【００３６】
出金取引においては、まず、顧客により指定された金額に応じて紙幣カセット４ａ〜４ｄから紙幣が１枚ずつ分離され、分離された紙幣は搬送路６ｇ〜６ｋおよび６ｂを経て鑑別部２に搬送される。そして、鑑別部２による鑑別結果が正常であった紙幣は搬送路６ｃおよび６ｅを経て接客部１に集積される。一方、鑑別部２による鑑別結果が異常であった紙幣、すなわち、顧客に支払いできない紙幣は、搬送路６ｃおよび６ｍを経てリジェクトカセット５に集積される。
【００３７】
紙幣移動においては、まず、紙幣カセット４ａ〜４ｄのうちの移動元の紙幣カセットから紙幣が分離され、分離された紙幣は搬送路６ｇ〜６ｋ、６ｂを経て鑑別部２に搬送される。そして、鑑別部２による鑑別結果が正常であった紙幣は搬送路６および６ｄを経て一時保留部３に搬送される。一方、鑑別部２による鑑別結果が正常であった紙幣は、搬送路６ｃおよび６ｍを経てリジェクトカセット５に集積される。
【００３８】
その後、一時保留部３から紙幣カセット４ａ〜４ｄのうちの移動先の紙幣カセットに紙幣が搬送される。具体的には、一時保留部３から紙幣が１枚ずつ分離され、分離された紙幣は搬送路６ｄおよび６ｃを経て鑑別部２に搬送される。そして、鑑別部２による鑑別結果が正常であった紙幣は、搬送路６ｂ、６ｆ〜６ｋを経て移動先の紙幣カセットに集積される。一方、鑑別部２による鑑別結果が異常であった紙幣は、搬送路６ｇおよび６ｌを経てリジェクトカセット５に集積される。
【００３９】
＜３．精査処理＞
以上、図２を参照して自動取引装置１０の構成および基本動作を説明した。続いて、本実施形態による精査処理について説明する。精査処理は、紙幣カセット４ａ〜４ｄ内の紙幣枚数を確定するための処理である。以下では、図３および図４を参照し、紙幣移動を伴う精査処理の具体例を説明する。
【００４０】
図３および図４は、紙幣移動を伴う精査処理の具体例を示した説明図である。図３および図４においては、紙幣カセット４ａおよび４ｃが同一金種である一万円札を集積し、紙幣カセット４ｂおよび４ｄが同一金種である千円札を集積する例を示している。この場合、自動取引装置１０は、まず、図３に示したように集積量の少ない紙幣カセット４ａから紙幣を分離し、分離された紙幣を一時保留部３に集積させる（ステップ１）。続いて、自動取引装置１０は、一時保留部３から紙幣を分離し、分離した紙幣を紙幣カセット４ｃに集積させる（ステップ２）。自動取引装置１０は、これらステップ１およびステップ２を繰り返すことにより、図３に示したように紙幣カセット４ａを空の状態にする（ゼロ確定）。
【００４１】
その後、自動取引装置１０は、図４に示したように紙幣カセット４ｃから紙幣を分離し、分離された紙幣を一時保留部に集積させる（ステップ３）。続いて、自動取引装置１０は、一時保留部３から紙幣を分離し、分離した紙幣を紙幣カセット４ａに集積させる（ステップ４）。自動取引装置１０は、これらステップ３およびステップ４を繰り返し、その過程において空の状態の紙幣カセット４ａに搬送した紙幣枚数を計数することにより、紙幣カセット４ａの紙幣枚数を確定することができる。
【００４２】
しかし、上記の精査処理を取引時間内に行う場合、精査処理が終わるまでの時間にわたって顧客を待たせてしまうという問題がある。この点に関し、集積量の少ない方の紙幣カセットの紙幣を先に移動させることにより、紙幣の移動量を少なくすると共に、精査処理の時間を短縮することも可能であるが、絶対的な紙幣枚数が多い場合には、精査処理のために相応の時間がかかってしまう。また、精査処理を取引時間外に行えば顧客を待たせてしまうという問題は発生しないが、精査処理に長時間を要すると、オペレータの作業効率も悪化することが懸念される。
【００４３】
そこで、上記事情を一着眼点にして本発明の各実施形態による自動取引装置１０を創作するに至った。本発明の各実施形態による自動取引装置１０は、出金取引時において分離を優先する紙幣カセットや、入金取引時に集積を優先する紙幣カセットを動的に設定することにより、精査処理の効率化を実現することが可能である。以下、このような本発明の各実施形態について詳細に説明する。
【００４４】
＜４．第１の実施形態＞
本発明の第１の実施形態では、通常の入出金取引で、同一金種を集積する複数の紙幣カセット４のうちの一方に紙幣を集める手段を提案する。例えば、制御部１５は、同一金種の複数の紙幣カセットのうちで集積量の少ない方の紙幣カセット４（第１の紙幣集積部）からの紙幣の分離を優先し、集積量の多い方の紙幣カセット４（第２の紙幣集積部）への紙幣の集積を優先する。以下、この点について図５を参照してより具体的に説明する。
【００４５】
図５は、第１の実施形態による優先設定を示した説明図である。制御部１５は、１万円札を集積する紙幣カセット４ａおよび４ｃに関し、図５の左方に示したように集積量の少ない紙幣カセット４ａからの紙幣の分離を優先する。一方、制御部１５は、図５の右方に示したように集積量の多い紙幣カセット４ｃへの紙幣の集積を優先する。なお、紙幣の大まかな集積量は、各紙幣カセットの複数箇所に設けられたセンサによって検出される。
【００４６】
かかる構成により、通常の入出金取引で、集積量の少ない方の紙幣カセットの集積量がさらに減少し、集積量の多い方の紙幣カセットの集積量がさらに増加する。このため、紙幣移動を伴う精査処理を行う場合、集積量の少ない方の紙幣カセットからの紙幣移動を先に行うことにより、移動する紙幣量および精査処理に要する時間を低減することが可能である。さらに、移動する紙幣量の低減により、リジェクトカセット５に搬送される紙幣が減少するという効果も期待される。
【００４７】
図６は、上述した第１の実施形態による自動取引装置１０の動作を整理したフローチャートである。図６に示したように、自動取引装置１０の制御部１５は、同一金種を集積する複数の紙幣カセット４について、集積量の少ない方の紙幣カセット４からの分離を優先し、集積量の多い方の紙幣カセット４への紙幣の集積を優先する（Ｓ１０４）。
【００４８】
そして、制御部１５は、精査処理を行う場合（Ｓ１０８）、分離優先に設定された紙幣カセット４が空の状態でなければ（Ｓ１１２）、当該紙幣カセット４から集積優先に設定された紙幣カセット４に紙幣を移動させる（Ｓ１１６）。その後、制御部１５は、集積優先に設定された紙幣カセット４から、空の状態になった紙幣カセット４（分離優先に設定されていた紙幣カセット）に紙幣を移動させ、その過程における鑑別部２による鑑別に基づき移動紙幣の枚数を計数することにより精査処理を行う（Ｓ１２０）。
【００４９】
なお、通常の入出金取引で分離優先に設定した紙幣カセット４が空の状態になった場合、当該紙幣カセット４に集積される紙幣の枚数は確定されることになる。したがって、制御部１５は、通常の入出金取引で分離優先に設定した紙幣カセット４が空の状態になった場合、当該紙幣カセット４を集積優先に切替え、他方の紙幣カセット４を分離優先に切り替えてもよい。
【００５０】
＜５．第２の実施形態＞
以上、本発明の第１の実施形態を説明した。第１の実施形態で説明した方法により効率的に紙幣カセット４の紙幣枚数を確定状態にすることが可能である。しかし、紙幣カセット４の状態は、紙幣搬送時における重走（紙幣同士の重なり）の発生、紙幣カセット４の開閉、および紙幣集積時におけるジャムの発生などにより、未確定状態になってしまう。
【００５１】
また、各紙幣カセット４に集積されている紙幣の枚数／金額は有高として管理されているが、紙幣カセット４が未確定状態だと、紙幣カセット４の有高を確定できないので、紙幣の枚数／金額を確定することが困難になってしまう。
【００５２】
そこで、本発明の第２の実施形態では、未確定状態の紙幣カセット４を速やかに確定状態にするための手段を提案する。具体的には、本発明の第２の実施形態では、同一金種を集積する複数の紙幣カセット４について、いずれかの紙幣カセット４のみが未確定状態である場合には当該紙幣カセットからの分離を優先し、他の紙幣カセット４への紙幣の集積を優先する。以下、この点について図７を参照してより具体的に説明する。
【００５３】
図７は、第２の実施形態による優先設定を示した説明図である。より詳細には、図７には、紙幣カセット４ａおよび４ｃが同一金種の１万円札を集積し、紙幣カセット４ａは未確定状態であり、紙幣カセット４ｃは確定状態である例を示している。この場合、制御部１５は、図７に示したように、紙幣カセット４ａおよび４ｃのうちで未確定状態である紙幣カセット４ａからの分離を優先し、確定状態である紙幣カセット４ｃへの集積を優先する。
【００５４】
かかる構成により、未確定状態の紙幣カセット４ａを通常の入出金取引中に速やかに空の状態にすることにより、紙幣カセット４ａを確定状態に遷移させることが可能である。これにより、紙幣カセット４ａに集積される紙幣の枚数／金額を管理することが可能となる。
【００５５】
図８は、上述した第２の実施形態による自動取引装置１０の動作を整理したフローチャートである。図８に示したように、自動取引装置１０の制御部１５は、同一金種を集積する２つの紙幣カセット４について、一方の紙幣カセット４のみが未確定状態であるか否かを判断する（Ｓ２０４）。そして、制御部１５は、双方の紙幣カセット４が確定状態または未確定状態である場合、第１の実施形態と同様に、集積量の少ない方の紙幣カセット４からの分離を優先し、集積量の多い方の紙幣カセット４への紙幣の集積を優先する（Ｓ２０８）。
【００５６】
一方、制御部１５は、一方の紙幣カセット４のみが未確定状態である場合、未確定状態の紙幣カセット４からの分離を優先し、確定状態の紙幣カセット４への集積を優先する（Ｓ２１２）。
【００５７】
そして、制御部１５は、精査処理を行う場合（Ｓ２１６）、分離優先に設定された紙幣カセット４が空の状態でなければ（Ｓ２２０）、当該紙幣カセット４から集積優先に設定された紙幣カセット４に紙幣を移動させる（Ｓ２２４）。その後、制御部１５は、集積優先に設定された紙幣カセット４から、空の状態になった紙幣カセット４（分離優先に設定されていた紙幣カセット）に紙幣を移動させ、その過程における鑑別部２による鑑別に基づき移動紙幣の枚数を計数することにより精査処理を行う（Ｓ２２８）。
【００５８】
＜６．第３の実施形態＞
以上説明したように、第２の実施形態によれば、１つの紙幣カセット４のみが未確定状態である場合に、当該紙幣カセット４を通常の入出金取引において確定状態に遷移させることが可能である。しかし、複数の紙幣カセット４が未確定状態であった場合、第２の実施形態では、未確定状態であるか否かによって分離／集積優先を設定することが困難であった。
【００５９】
そこで、本発明の第３の実施形態では、複数の紙幣カセット４が未確定状態であった場合に、一方の紙幣カセット４を確定状態に遷移させる手段を提案する。具体的には、本発明の第３の実施形態では、同一金種を集積する複数の紙幣カセット４が未確定状態である場合に、紙幣移動により１つの紙幣カセット４を確定状態に遷移させる。これにより、その後の入出金取引において、画一的に未確定状態の紙幣カセットからの紙幣の分離を優先させることが可能となる。以下、この点について図９を参照してより具体的に説明する。
【００６０】
図９は、第３の実施形態による紙幣移動を示した説明図である。より詳細には、図９には、紙幣カセット４ａおよび４ｃが同一金種の１万円札を集積し、紙幣カセット４ａおよび４ｃの双方が未確定状態である例を示している。この場合、制御部１５は、図９に示したように、まず集積量の少ない方の紙幣カセット４ａから紙幣を一時保留部３に移動させ、一時保留部３から紙幣を紙幣カセット４ｃに集積させる。この動作を繰り返すことにより、紙幣カセット４ａを確定状態（空の状態）にすることができる。なお、制御部１５は、一時保留部３への集積および一時保留部３から紙幣カセット４ｃへの紙幣移動を１枚ずつ繰り返してもよいし、一時保留部３へ複数の紙幣を集積した後に、この複数の紙幣を順次に紙幣カセット４ｃへ移動させてもよい。
【００６１】
その後は、図９に示したように、未確定状態の紙幣カセット４ｃからの分離を優先し、確定状態の紙幣カセット４ａへの集積を優先することにより、通常の入出金取引で紙幣カセット４ｃを確定状態にすることが可能である。ただし、紙幣カセット４ａおよび４ｃの集積量によっては、紙幣カセット４ａに集積されている紙幣の全てを紙幣カセット４ｃに移動できない場合も想定される。以下、この場合の処理について図１０を参照して説明する。
【００６２】
図１０は、第３の実施形態による紙幣移動の第２の例を示した説明図である。図１０に示したように、制御部１５は、まず集積量の少ない方の紙幣カセット４ａから紙幣を一時保留部３に移動させ、一時保留部３から紙幣を紙幣カセット４ｃに集積させる。ここで、図１０に示したように紙幣カセット４ａの紙幣を紙幣カセット４ｃに集積しきれない場合、制御部１５は、集積しきれなかった紙幣を紙幣カセット４ａに戻す。この時、紙幣カセット４ａは空の状態になっていないので、未確定状態のままである。その後、制御部１５は、通常の入出金取引で紙幣カセット４ａを確定状態にするために、集積量が少ない紙幣カセット４ａからの分離を優先し、集積量の多い方の紙幣カセット４ｃへの集積を優先する。
【００６３】
図１１は、上述した第３の実施形態による自動取引装置１０の動作を整理したフローチャートである。図１１に示したように、自動取引装置１０の制御部１５は、同一金種を集積する２つの紙幣カセット４について、一方の紙幣カセット４のみが未確定状態であるか否かを判断する（Ｓ３０４）。そして、制御部１５は、両方の紙幣カセット４が未確定状態である場合、集積量の少ない紙幣カセット４の紙幣を他方の紙幣カセット４に移動させる（Ｓ３１２）。
【００６４】
これにより集積量の少なかった移動元の紙幣カセット４が空の状態（確定状態）になった場合（Ｓ３１６）、制御部１５は、移動先の未確定状態の紙幣カセット４からの分離を優先し、移動元の確定状態の紙幣カセット４への集積を優先する（Ｓ３２０）。もともと一方の紙幣カセット４のみが未確定状態であった場合も同様である（Ｓ３０４）。
【００６５】
一方、Ｓ３１２の紙幣移動によっても移動元の紙幣カセット４が空の状態（確定状態）にならなかった場合、制御部１５は、第１の実施形態と同様に、集積量の少ない方の紙幣カセット４からの分離を優先し、集積量の多い方の紙幣カセット４への紙幣の集積を優先する（Ｓ３２４）。
【００６６】
＜７．第４の実施形態＞
以上、本発明の第３の実施形態を説明した。続いて、本発明の第４の実施形態を説明する。第４の実施形態では、フルカセット、またはニアフルカセットのように、所定の上限を上回る紙幣が集積された紙幣カセット４が存在する場合の優先設定方法を提案する。
【００６７】
図１２は、第４の実施形態による優先設定を示した説明図である。より詳細には、図１２には、紙幣カセット４ａおよび４ｃが同一金種の１万円札を集積し、紙幣カセット４ｃの集積量がフルまたはニアフルである例を示している。この場合、紙幣カセット４ｃの集積量の方が紙幣カセット４ａよりも多いので、第１の実施形態によれば紙幣カセット４ｃへの集積が優先される。しかし、紙幣カセット４ｃにこれ以上紙幣を集積することは困難であるので、制御部１５は、図１２に示したように、紙幣カセット４ａからの紙幣の分離を優先すると共に、紙幣カセット４ａへの紙幣の集積を優先する。
【００６８】
これにより、紙幣の分離量が集積量を大きく上回る場合、通常の入出金取引で紙幣カセット４ａを空の状態にすることが可能である。
【００６９】
＜８．むすび＞
以上説明したように、本発明の第１の実施形態によれば、紙幣の集積量の少ない紙幣カセット４からの紙幣の分離を優先することにより、紙幣移動による精査処理に要する時間を低減することが可能である。さらに、移動する紙幣量の低減により、リジェクトカセット５に搬送される紙幣が減少するという効果も期待される。
【００７０】
また、本発明の第２の実施形態によれば、未確定状態の紙幣カセットからの分離を優先することにより、未確定状態の紙幣カセットを通常の入出金取引で確定状態にすることが可能である。
【００７１】
また、本発明の第３の実施形態によれば、複数の紙幣カセットが未確定状態であった場合に、１つの紙幣カセットを紙幣移動により確定状態にすることにより、その後の入出金取引において、画一的に未確定状態の紙幣カセットからの紙幣の分離を優先させることが可能となる。
【００７２】
また、本発明の第４の実施形態によれば、フルカセット、またはニアフルカセットのように、所定の上限を上回る紙幣が集積された紙幣カセット４が存在する場合にも、未確定状態の紙幣カセットを通常取引中に確定状態にすることが可能となる。
【００７３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７４】
例えば、本明細書の自動取引装置１０の処理における各ステップは、必ずしもフローチャートとして記載された順序に沿って時系列に処理する必要はない。例えば、自動取引装置１０の処理における各ステップは、フローチャートとして記載した順序と異なる順序で処理されても、並列的に処理されてもよい。
【００７５】
また、自動取引装置１０に内蔵されるＣＰＵ、ＲＯＭおよびＲＡＭなどのハードウェアを、上述した自動取引装置１０の制御部１５と同等の機能を発揮させるためのコンピュータプログラムも作成可能である。また、該コンピュータプログラムを記憶させた記憶媒体も提供される。
【符号の説明】
【００７６】
１      接客部
２      鑑別部
３      一時保留部
４ａ〜４ｍ  紙幣カセット
５      リジェクトカセット
６ａ〜６ｍ  搬送路
１０    自動取引装置
１２    専用網
１３    紙幣処理機構
１４    顧客操作表示部
１５    制御部
１６    通帳挿入口
１８    カード挿入口
１９    接客口
２０    金融機関ホスト
【図１】
2013025438.tif 000003
【図２】
2013025438.tif 000004
【図３】
2013025438.tif 000005
【図４】
2013025438.tif 000006
【図５】
2013025438.tif 000007
【図６】
2013025438.tif 000008
【図７】
2013025438.tif 000009
【図８】
2013025438.tif 000010
【図９】
2013025438.tif 000011
【図１０】
2013025438.tif 000012
【図１１】
2013025438.tif 000013
【図１２】
2013025438.tif 000014